(57)【要約】  空気注入開口部（２）を備えた、衣類のしわ取り用の膨張式胴体（１）であって、膨張式胴体が０．００５ｍ３／分２／分〜３０ｍ３／ｍ２／分の空気透過性を有する不織布基材と、膨張式胴体（１）を含むしわ取り用キットと、衣類のしわ取り方法と、を含む。
2011505945.tif 000002
【特許請求の範囲】
【請求項１】
空気注入開口部（２）を備えた、衣類のしわ取り用の膨張式胴体（１）であって、前記膨張式胴体（１）が０．００５ｍ３／ｍ２／分〜３０ｍ３／ｍ２／分の空気透過性を有する不織布基材を含むことを特徴とする、膨張式胴体。
【請求項２】
前記空気透過性が０．５ｍ３／ｍ２／分〜５ｍ３／ｍ２／分である、請求項１に記載の膨張式胴体（１）。
【請求項３】
前記空気透過性が１ｍ３／ｍ２／分〜２ｍ３／ｍ２／分である、請求項１又は２に記載の膨張式胴体（１）。
【請求項４】
前記不織布基材が熱可塑性フィルムである、請求項１〜３のいずれか一項に記載の膨張式胴体（１）。
【請求項５】
前記不織布基材が、一層が熱可塑性フィルムである少なくとも二層からなる積層体である、請求項１〜３のいずれか一項に記載の膨張式胴体（１）。
【請求項６】
前記熱可塑性フィルムがポリエチレンフィルム又はポリプロピレンフィルムである、請求項４又は５に記載の膨張式胴体（１）。
【請求項７】
前記熱可塑性フィルムが、平均直径１００マイクロメートル〜１５０マイクロメートルを有する針孔熱可塑性フィルムであり、前記針孔が平均０．５〜１．５ｃｍ、好ましくは１ｃｍの距離で間隔を置いて配置されている、請求項４〜６のいずれか一項に記載の膨張式胴体（１）。
【請求項８】
前記膨張式胴体（１）がハンガー（３）を更に備える、請求項１〜７のいずれか一項に記載の膨張式胴体（１）。
【請求項９】
前記膨張式胴体が、衣類支持部材（４）、好ましくは膨張式衣類支持部材（４）を更に備える、請求項１〜８のいずれか一項に記載の膨張式胴体（１）。
【請求項１０】
請求項１〜９のいずれか一項に記載の膨張式胴体（１）を少なくとも一体含むパッケージ。
【請求項１１】
ａ．第１の種類の衣類に適合するための第１の形状を有する、請求項１〜９のいずれか一項に記載の、少なくとも一体の膨張式胴体（１）と、
ｂ．第２の種類の衣類に適合するための前記第２の形状とは異なる第２の形状を有する、請求項１〜９のいずれか一項に記載の、少なくとも一体の膨張式胴体（１）と、を含む、パッケージ。
【請求項１２】
ａ．請求項１〜１１のいずれか一項に記載の、少なくとも一体の膨張式胴体（１）又はパッケージと、
ｂ．空気吹き込み装置（５）と、を含む、衣類のしわ取り用キット。
【請求項１３】
前記空気吹き込み装置（５）が３０℃〜８０℃の温度を有する空気を吹き込むことができる、請求項１２に記載のキット。
【請求項１４】
前記空気吹き込み装置（５）が３０ｄｂ〜８０ｄｂの雑音を発生させる、請求項１２又は１３に記載のキット。
【請求項１５】
水分又は活性物質を衣類に運ぶデリバリーシステムを更に含む、請求項１２〜１４のいずれか一項に記載のキット。
【請求項１６】
ａ．請求項１〜９のいずれか一項に記載の膨張式胴体（１）を用意する工程と、
ｂ．衣類を前記膨張式胴体（１）の上に掛ける工程と、
ｃ．前記膨張式胴体（１）の前記注入開口部を空気吹き込み装置（５）の放出開口部に取り付ける工程と、
ｄ．前記膨張式胴体（１）に空気を吹き込む工程と、からなる、衣類のしわ取り方法。
【請求項１７】
前記膨張式胴体（１）に空気を吹き込むに先立ち、衣類をあらかじめ湿らせる、請求項１６に記載の方法。
【発明の詳細な説明】
【技術分野】
【０００１】
本発明は、衣類のしわ取り用の膨張式胴体及びキットに関する。
【背景技術】
【０００２】
膨張式胴体と空気吹き込み装置を用いる衣類のしわ取り装置は、当該技術分野において周知である。
【０００３】
１つの種類は一体型装置である。この装置は、膨張式胴体と送風機が１つの単体装置に統合される独立型装置である。これらの装置はかなり高価であり、典型的に広い場所を占有する。通常、例えばシャツなど、具体的な１種類の衣類のみに適合することができる、１体の膨張式胴体のみを用意する。一着の衣類のしわ取りが済むと、それを膨張式胴体から取り外して、次のしわ取り作業のため、新しい衣類を膨張式胴体の上に置かなければならない。そのような一体型装置は米国特許第６，８３４，４４１号、米国特許出願第２００４／０２４５２９６号、及び米国特許出願第２００５／００６７４４２号に記載されている（全てＢＳＨ  Ｂｏｓｃｈ  ｕｎｄ  Ｓｉｅｍｅｎｓ  Ｈａｕｓｇｅｒａｔｅ  ＧｍｂＨに帰する）。
【０００４】
別の種類は、使用前に組み立てる必要のある幾つかの構成要素が含まれるキットである。これらのキットは、分解することができ、したがって容易に片付けることができるという利点を有する。幾つかの形状の膨張式胴体を送風機に取り付けることができ、したがってこれらのキットは幾つかの種類の衣服のしわ取りを行うことができる。そのようなキットは、例えば、日本特許公開第２００３−１９９９９６号、日本特許公開第２００３−１９９９９７号、及び日本特許公開第２００３−１９９９９８号（全て松下電器産業株式会社に帰する）に記載されている。
【０００５】
これらのキットはすでに一体型装置を凌ぐ何らかの便益をもたらすが、しわ取りの済んだ衣類を膨張式胴体から取り外して、次のしわ取り作業のため、新しい衣類を膨張式胴体に掛ける必要があるという点で、それでもまだ使用時の使い勝手が悪い。また、膨張式胴体の材料はかなり高価である。通常、膨張式胴体は、耐久性のある高価な織物材料によって製造される。
【先行技術文献】
【特許文献】
【０００６】
【特許文献１】米国特許第６，８３４，４４１号
【特許文献２】米国特許出願第２００４／０２４５２９６号
【特許文献３】米国特許出願第２００５／００６７４４２号
【特許文献４】日本特許公開第２００３−１９９９９６号
【特許文献５】日本特許公開第２００３−１９９９９７号
【特許文献６】日本特許公開第２００３−１９９９９８号
【発明の概要】
【発明が解決しようとする課題】
【０００７】
本発明の目的は、保管が容易で、使用時の使い勝手が良く、かつ低コストのキットを用意することである。本発明の別の目的は、使用者が、しわ取りの済んだ衣類を膨張式胴体から取り外さずに、一連の衣類のしわ取りを行うことができる、衣類のしわ取り用のキットを用意することである。本発明の更なる目的は、異なる種類の衣類のしわ取りができるキットを用意することである。
【課題を解決するための手段】
【０００８】
第一の態様に準じて、本発明は、空気注入開口部を備えた、衣類のしわ取り用の膨張式胴体であって、膨張式胴体が０．００５ｍ３／ｍ２／分〜３０ｍ３／ｍ２／分の空気透過性を有する不織布基材を含むことを特徴とする、膨張式胴体に関する。
【０００９】
第二の態様に準じて、本発明は、少なくとも１体の膨張式胴体を含むパッケージに関する。
【００１０】
第三の態様に準じて、本発明は、衣類のしわ取り用のキットに関する。キットには、少なくとも１体の膨張式胴体と空気吹き込み装置が含まれる。
【００１１】
第四の態様に準じて、本発明は、
ａ．請求項１〜９のいずれか一項に記載の膨張式胴体を用意する工程と、
ｂ．衣類を前記膨張式胴体の上に掛ける工程と、
ｃ．前記膨張式胴体の注入開口部を空気吹き込み装置の放出開口部に取り付ける工程と、
ｄ．前記膨張式胴体に空気を吹き込む工程と、
からなる、衣類のしわ取り方法に関する。
【図面の簡単な説明】
【００１２】
【図１】本発明に記載の膨張式胴体の断面図。
【図２】本発明に記載のキットの正面図。
【発明を実施するための形態】
【００１３】
本発明は、衣類のしわ取り用の膨張式胴体並びにキット、及び少なくとも１体の膨張式胴体を含むパッケージに関する。
【００１４】
膨張式胴体
膨張式胴体は、衣類に挿入して用いられる。図１で示すように、膨張式胴体１は、膨張したときに衣類内部の形状を取るように成形される。一般的な衣類のいずれもそのようなシャツ又はズボンとしてみなすことができる。
【００１５】
膨張式胴体１に空気が入るようにするため、胴体は空気注入開口部２を備える。空気注入開口部２によって空気が胴体１に吹き込まれるため、そのような胴体１は膨張して衣類の形状を取ることができる。
【００１６】
膨張式胴体１は不織布基材からなる。用語「不織布」は、Ａｓｓｏｃｉａｔｉｏｎ  ｏｆ  ｔｈｅ  Ｆａｂｒｉｃ  Ｉｎｄｕｓｔｒｙから出版された「Ｎｏｎｗｏｖｅｎ  Ｆａｂｒｉｃｓ  Ｈａｎｄｂｏｏｋ」で一般に用いられている定義に従って定義付けされる。本明細書で用いられるとき、「不織布基材」は、不織繊維を含み、本明細書で下記に記載される方法に従って製造される基材である。不織布基材の定義には織布は含まれない。
【００１７】
不織繊維は、天然に発生する（変性又は非変性の）繊維、及び合成製造繊維、又はこれらの組み合わせを含む。本明細書で用いられるとき、「天然」繊維は、植物、動物、昆虫、又は植物、動物、及び昆虫の副産物から生成され、人為的に変性、再生、又は製造されることなく入手可能な、全ての繊維を含む。好適な非変性／変性の天然に発生する繊維の例として、綿、エスパルト草、バガス、ケンプ、亜麻、絹、羊毛、木材パルプ、化学的に変性された木材パルプ、黄麻、エチルセルロース、酢酸セルロース、及びこれらの組み合わせが挙げられる。本明細書で用いられるとき、「合成」は、主として様々な人工材料から得られる、又は更に変化させた天然の材料から得られる材料を意味する。本発明にいて有用な合成材料の限定されない例としては、アセテート繊維、アクリル繊維、セルロースエステル繊維、モダクリル繊維、ポリアミド繊維、ポリエステル繊維、ポリオレフィン繊維、ポリビニルアルコール繊維、レーヨン繊維、及びこれらの組み合わせからなる群から選択されるものが挙げられる。好適な合成材料の例としては、アクリラン、クレスラン、及びアクリロニトリル系繊維のオーロンなどのアクリル；セルロースアセテート、アーネル、及びアシーレ（acele）などのセルロースエステル繊維；ナイロン（例えば、ナイロン６、ナイロン６６、ナイロン６１０等）などのポリアミド；フォルトレール、コデル、及びポリエチレンテレフタレート繊維、ポリブチレンテレフタレート繊維、ダクロンなどのポリエステル；ポリプロピレン、ポリエチレンなどのポリオレフィン；ポリビニルアセテート繊維、及びこれらの組み合わせが挙げられる。
【００１８】
これら及び他の好適な繊維、並びにこれらから準備される不織布は、Ｒｉｅｄｅｌ，「Ｎｏｎ−ｗｏｖｅｎ  Ｂｏｎｄｉｎｇ  Ｍｅｔｈｏｄｓ  ａｎｄ  Ｍａｔｅｒｉａｌｓ，」Ｎｏｎ−ｗｏｖｅｎ  Ｗｏｒｌｄ（１９８７）、Ｔｈｅ  Ｅｎｃｙｃｌｏｐｅｄｉａ  Ａｍｅｒｉｃａｎａ，ｖｏｌ．１１，ｐｐ．１４７〜１５３、及びｖｏｌ．２６，ｐｐ．５６６〜５８１に概略が記載されている。
【００１９】
好適な合成材料としては、中実な単一構成要素（すなわち、化学的に同質の）繊維、多組成繊維（すなわち、それぞれの繊維が１種類以上の材料で構成されている）、及び多構成要素繊維（すなわち、より大きな繊維を製造するために、何らかの形で撚り合わされている、２種類以上の個別長繊維を含む合成繊維）、及びこれらの組み合わせが挙げられる。２種の構成要素繊維は、芯鞘型形体又は隣接形体を有することが可能で、ポリエチレン／ポリプロピレン、ポリエチルビニルアセテート／ポリプロピレン、ポリエチレン／ポリエステル、ポリプロピレン／ポリエステル、コポリエステル／ポリエステル等のポリマーの組み合わせを有することができる。
【００２０】
不織布を製造する方法は、当該技術分野において周知である。一般的に、これらの不織布は、エアレイ法、ウォーターレイ法、メルトブロー法、共成法、スパンボンド法、又はカーディング法によってを製造することができ、これらの方法において、繊維又は長繊維は、先ず長い糸から望ましい長さに切断され、水又は空気流に通され、その後、繊維が取り込まれた空気又は水が通り抜けるスクリーン上に付着される。得られる層は、その製造方法又は構成要素に関わらず、数種類の結合操作の少なくとも１つの操作を受け、個々の繊維が一緒に固着して自己維持型の基材を成形する。好適な方法としては、混繊加工、水流絡合、熱結合、カーディング、ニードルパンチ加工、又は当該技術分野において既知である他の方法のいずれか、及びこれらの方法の組み合わせが挙げられるが、これらに限定されない。不織布基材は単一層又は複数層を含むことができる。複数層は一緒に結合して２層以上の積層品を形成することもある。
【００２１】
本発明の膨張式胴体１に使用される不織布基材は、０．００５ｍ３／ｍ２／分〜３０ｍ３／ｍ２／分の空気透過性を有することが必要である。不織布基材は、好ましくは０．５ｍ３／ｍ２／分〜５ｍ３／ｍ２／分の、より好ましくは１ｍ３／ｍ２／分〜２ｍ３／ｍ２／分の空気透過性を有する。空気透過性は標準試験方法ＡＳＴＭ  Ｄ７３７−９６に準じて測定される。
【００２２】
１つの好ましい不織布基材は熱可塑性フィルム、より好ましくは、ポリエチレン又はポリプロピレンで製造される熱可塑性フィルムである。好適な不織布基材の１つの実施例は、ＢＢＡ  Ｆｉｂｅｒｗｅｂ（英国）の３．４ｍ３／ｍ２／分の空気透過性を有する５０〜６０グラムのカレンダー化されたポリプロピレンフィルムである。他の好適な不織布基材としては、厚さ１０〜２０マイクロメートルで２０〜３０グラムの基本重量を有する、Ｒｈｅｉｎｉｓｃｈｅ  Ｋｕｎｓｔｓｔｏｆｆｗｅｒｋｅ  ＡＧ（ドイツ）のＨＹＤＯＬＰＰ  Ｐｌｕｓ、ＨＹＦＯＬＰＥ  Ｓｏｆｔ  Ｔｅｘｔｉｌｅ、及びＡｐｔｒａ  Ｂ１４０が挙げられる。
【００２３】
熱可塑性フィルムは、直径が平均１００マイクロメートル〜１５０マイクロメートル、好ましくは１１０マイクロメートル〜１４０マイクロメートル、もっとも好ましくは１１５マイクロメートル〜１３５マイクロメートルの開口を備えた、有孔熱可塑性フィルムであることが好ましい。開口部は平均０．５ｃｍ〜１．５ｃｍ、より好ましくは０．７ｃｍ〜１．３ｃｍ、更に好ましくは０．９ｃｍ〜１．１ｃｍ、もっとも好ましくは１ｃｍの距離を置いて配置される。そのような不織布基材の実施例は、６０％ポリプロピレン−４０％エチレンビニールアセテートの同時押出不織布にホットニードルで孔を開けた、Ｃｌｏｐａｙからの有孔フィルム（製品コードＤＨ２４５）である。
【００２４】
別の好ましい不織布基材は少なくとも２層の積層材であり、１層は前述の熱可塑性フィルムで、別の１層は好ましくはアセテート又はポリエステル系である。実施例は、Ｃｌｏｐａｙ（アメリカ合衆国）からの２５グラムのポリエチレンフィルム（ＦＰＥ  Ｇ２５Ｎ）及び１９グラムのポリエチレンフィルム／１３グラムスパンボンド式ポリプロピレン不織布、及びＦａｍａｊｅｒｓｅｙｓ（イタリア）からの０．１６デシテックスのスパンレース基材、７０％ビスコース−３０％のポリウレタン膜積層ポリエステルである。これらの材料は空気透過性が低い又は空気透過性がないため、要求される透過性を得るために孔を開けることが必要である。
【００２５】
膨張式胴体１には、任意であるが好ましい機能を付着又は組み込むことができる。膨張式胴体１は、膨張式胴体１を、例えば、洋服掛けに掛けることができるハンガー３を備えることが好ましい。ハンガー３は膨張式胴体１に取り外しできるように取り付けることができ、又は膨張式胴体１と取り外せないように一体化することができる。ハンガー３は、ポリエチレン又はポリプロピレンなどの低コストのプラスチック材料でできていることが好ましい。
【００２６】
２番目の任意であるが好ましい機能は、しわ取りの間、衣類を支える衣類支持部材４である。衣類支持部材４は、膨張式胴体１又はハンガー３に取り外しできるように取り付けることができ、又は取り外せないように膨張式胴体１と一体化することができる。衣類支持部材４も膨張式であり、ポリエチレン又はポリプロピレンなどの低コストのプラスチック材料でできていることが好ましい。
【００２７】
膨張式胴体１がハンガー３と衣類支持部材４、好ましくは膨張式衣類支持部材４を備えることがもっとも好ましい。
【００２８】
本発明に従った、低コストの膨張式胴体１の利点は、しわ取りした衣類を膨張式胴体１上に置いたまま、好ましくはハンガーで、簡単に箪笥又は衣類棚に片付けることができ、衣類を膨張式胴体１から取り外す必要がないことである。複数の更なる衣類のしわ取りをするため、使用者は簡単に更なる膨張式胴体を用いることができる。
【００２９】
本発明に従った低コストの膨張式胴体１を用意することの別の便益は、幾つかの膨張式胴体を比較的小型のパッケージに詰めて、使用に先立って保管することができることである。別の便益は、それぞれ異なる形状を有する幾つかの膨張式胴体は、異なる種類の衣類に適合することができることである。異なる形状の膨張式胴体は１つのパッケージで、又は異なるパッケージで販売することができる。
【００３０】
衣類のしわ取り用のキット
本発明に従った衣服のしわ取り用のキットは、図２に示すように、少なくとも前述の１体の膨張式胴体１と空気吹き込み装置５の、２つの必須要素を含む。
【００３１】
空気吹き込み装置５は、空気ファン（図示せず）と空気放出開口部６を備える筐体を含む。空気放出開口部６は、膨張式胴体１の空気注入開口部２に接続される。空気放出開口部６を空気注入開口部２に取り付けるため、別個の嵌合具７を任意に用いることがある。
【００３２】
ファンは、膨張式胴体１がしわ取り効果を有するために衣類を伸張させるに充分であるが、膨張式胴体及び衣類の両方あるいはどちらか一方への損傷を避けるに充分低い程度の、出力２０Ｗ〜８０Ｗを有し、５０パスカル〜４００パスカルの圧力を胴体内部に生じることが可能であることが好ましい。圧力は約２００パスカルが好ましい。
【００３３】
キットは国内市場で使用されることになるため、空気吹き込み装置５が発生する騒音は最小限に保つことが好ましい。したがって、空気吹き込み式装置５は、騒音レベルが３０デシベル（ｄｂ）〜８０ｄｂを発生することが好ましい。
【００３４】
空気吹き込み装置５は、発熱要素を更に含み、それによって空気吹き込み装置５は温度３０℃〜８０℃の温度で空気を吹き込むことが可能であることが好ましい。膨張式胴体１内に温かい空気を吹き込むことは、しわ取り過程に有益な効果を及ぼす。
【００３５】
空気吹き込み装置での使用に好適なファンの実施例は、Ｓｙｓｔｅｍａｉｒ（スウェーデン）からの円形ダクトファン、特にＲＶＫ１００−１２５ファンである。
【００３６】
追加的な機能
膨張式胴体１及びしわ取りキットの両方又はいずれかは、１つ以上の任意の特徴を備えることが可能である。
【００３７】
任意であるが好ましい第一の機能は、衣類伸張手段８である。これは、例えば、膨張式胴体１又は衣類の特定部分上に留める１つ以上の重りであることがある。これは、膨張式胴体１又は衣類に取り付けた後、空気吹き込み装置５に固定する弾性ストラップであることもある。
【００３８】
任意であるが好ましい別の機能は、水分又は活性物質を衣類に運ぶデリバリーシステムである。これは、しわ取り過程の前、間、又は直後に衣類の外側表面にスプレーするためにしわ取り用キットに含むことができる、簡単な引き金又は煙霧質スプレー容器であることがある。これは、ネブライザー、電子スプレー装置、又は蒸気処理装置などのシステムであることもあり、空気吹き込み装置５の筐体に組み込まれ、それによって活性物質を空気透過性膨張式胴体１の内部から衣類に運ぶことができる。
【００３９】
衣類に運ばれる好ましい活性物質としては、水、芳香剤、又は当該技術分野において既知である好適な布地仕上げ剤のいずれかが挙げられるが、これらに限定されない。運ばれるに特に好ましい活性物資は、しわ取り自体に直接寄与するものである。特に関心を惹くものは、Ｄｏｗｎｙ  Ｗｒｉｎｋｌｅ  Ｒｅｌｅａｓｅという商標名で市場に出ている（Ｔｈｅ  Ｐｒｏｃｔｅｒ  ＆  Ｇａｍｂｌｅから）しわ取り化学製品であり、米国特許第７，０４９，２７６号、同第６，９８４，３３６号、同第６，７５５，９８７号、同第６，６５２，７６６号、同第６，５６９，３４５号、及び欧州特許第１２０１８１７号並びに同第１０９６０５６号に広範にわたって記載されている（全てＴｈｅ  Ｐｒｏｃｔｅｒ  ＆  Ｇａｍｂｌｅ  Ｃｏｍｐａｎｙに帰する）。
【００４０】
衣類のしわ取り用方法
本発明のキットを用いる衣類のしわ取り用方法は、次の
ａ．前述の膨張式胴体１を用意する工程と、
ｂ．衣類を前記膨張式胴体１の上に掛ける工程と、
ｃ．前記膨張式胴体の注入開口部２を空気吹き込み装置５の放出開口部６に取り付ける工程と、
ｄ．前記膨張式胴体１に空気を吹き込む工程と、
を含む。
【００４１】
最初の衣類のしわ取りが済むと、その衣類を膨張式胴体１の上に残したまま、取り除いて衣類棚又は箪笥に片付けることができる。しかし、本発明の好ましい方法では、しわ取りが済んだ衣類は、膨張式胴体の上に留まる。更なる衣類のしわ取りを行うために、更なる膨張式胴体１を用いて、工程ｃ及びｄが繰り返される。
【００４２】
膨張式胴体１に空気を吹き込むに先立って、衣類をあらかじめ湿らせることが好ましい。
【実施例】
【００４３】
ホットニードルによって孔を開けた、Ｃｌｏｐａｙからの６０％ポリプロピレン／４０％エチレンビニルアセテートの同時押出不織布材料（製品コードＤＨ２４５）の有孔フィルムを用いて、膨張式胴体をシャツの形状に縫った。はみ出た部分を挟み込んで、０．２４、０．８０、１．１３、及び３．１６Ｌ／秒（０．５、１．７、２．４、及び６．７ｃｆｍ（毎分立法フィート）を得る。膨張を目的として、開口部を下部にして胴体を容易に吊り下げるために、安価なハンガーを挿入する。しわ取り性能を達成するため、シャツを胴体の上に掛けて胴体の袖をシャツに差し込む。噴霧器を通じてシャツをあらかじめ湿らせる。シャツの上部ボタンをかける。最も単純な実施においては、胴体をＳｙｓｔｅｍａｉｒの低騒音空気ファンＲＶＫ１００−１２５に接続する。胴体の底部に取り付けることのできる留め具で、シャツの下部を伸張させる。１５分間膨張させると、規準であるＡＡＴＣＣ−１２８（布地のしわ修復）法に記載されるように、シャツの正面部分は、しわ等級１にしわ取りされる。シャツは膨張前に等級付けされてしわ等級１．５であり、膨張後の等級は２．５超である。
【００４４】
本明細書に開示されている寸法及び値は、列挙した正確な数値に厳しく制限されるものとして理解されるべきではない。むしろ、特に指定されない限り、それぞれの寸法は、列挙された値とその値周辺の機能的に同等の範囲の両方を意味することを意図する。例えば、「４０ｍｍ」として開示された寸法は、「約４０ｍｍ」を意味することを意図する。
【図１】
2011505945.tif 000003
【図２】
2011505945.tif 000004
【国際調査報告】
2011505945.tif 000005
2011505945.tif 000006
2011505945.tif 000007